(57)【要約】 【課題】  用紙を組単位で取り扱うことの容易な帳票冊子を提供することにある。【解決手段】  １組の帳票組６をなす複数の用紙２、３、４、５が、開放側（綴じ側と逆側）の端縁における角部Ｃで互いに再剥離可能に接着されている。このような構成によれば、例えば下敷き用紙１２を差し替えるとき等において、１組の帳票組６をなす用紙２、３、４、５まとめてめくることができ、便利である。また、用紙２、３、４、５が綴じ側と逆側、すなわち互いに最も大きく離間する側において接着されているから、１組の用紙２、３、４、５がよりまとまりやすくなり、便利である。さらに、開放側の端縁の角部Ｃのうちいずれかにおいて接着がなされているから、この角部Ｃに指を引っ掛けることで１組の用紙２、３、４、５を容易にめくることができ、分離作業も容易である。【選択図】  図６
2006327128.tif 000002
【特許請求の範囲】
【請求項１】
表裏両面のうち一面側が記入面とされた複数の用紙が積層されて１組をなすとともに上位の前記用紙への記載内容を下位の前記用紙に転写可能な帳票組の複数組が積層されて綴じられた帳票冊子であって、
前記１組の帳票組をなす前記複数の用紙が綴じ側を除く端縁の一部で互いに再剥離可能に接着されていることを特徴とする帳票冊子。
【請求項２】
前記複数の用紙が綴じ側と対向する側の側縁で接着されていることを特徴とする請求項１に記載の帳票冊子。
【請求項３】
前記複数の用紙が前記綴じ側と対向する側の側縁における両端の角部のうちいずれかで接着されていることを特徴とする請求項２に記載の帳票冊子。
【請求項４】
前記帳票組が前記記入面側を裏側に向けて積層されており、積層された状態で最上位となる前記用紙の裏面側には下敷き部が重ねられていることを特徴とする請求項１〜請求項３のいずれかに記載の帳票冊子。
【請求項５】
前記複数の用紙が互いに接着された接着領域における前記用紙の端縁方向に沿う方向の長さが０．５ｍｍ以上１０ｍｍ以下であることを特徴とする請求項１〜請求項４のいずれかに記載の帳票冊子。
【請求項６】
表裏両面のうち一面側が記入面とされた複数の用紙が積層されて１組をなすとともに上位の前記用紙への記載内容を下位の前記用紙に転写可能な帳票組の複数組が積層されて綴じられた帳票冊子を製造する方法であって、
１組の前記帳票組をなす前記用紙において最下層の用紙の裏面と最上層の用紙の表面とを除く紙面に発色剤または顕色剤を含む薬剤層を設ける薬剤層形成工程と、
前記帳票組の複数組を積層する工程と、
積層された前記帳票組の束において綴じ側となる一側面に糊付けしてこの帳票組の束を背固めする糊付け工程と、を経るとともに、
前記糊付け工程において、前記用紙よりも前記薬剤層に対する親和性の高い接着剤を前記綴じ側とは異なる側面の一部に塗布することを特徴とする帳票冊子の製造方法。
【請求項７】
前記糊付け工程において、前記接着剤を前記綴じ側とは異なる側面から内側方向へのしみ込み長さが２ｍｍ以上５ｍｍ以下となるように塗布するとともに、
前記糊付け工程の後に、前記綴じ側とは異なる側面からの距離が１ｍｍ以上３ｍｍ以下であって、かつ、前記しみ込み長さ未満の位置で前記帳票組の束を断裁することを特徴とする請求項６に記載の帳票冊子の製造方法。
【発明の詳細な説明】
【技術分野】
【０００１】
本発明は、帳票冊子およびその製造方法に関する。
【背景技術】
【０００２】
従来、感圧複写帳票は、複数枚の伝票用紙を重ねたものを１組とし、この伝票用紙の複数組を重ねて製本した状態で販売されるのが一般的である（例えば特許文献１）。１組の伝票用紙において、互いに重なり合う用紙のうち上側の用紙の裏面には発色剤層が、下側の用紙の表面には顕色剤層が形成されている。感圧複写帳票の上用紙の表面から、例えばボールペンなどにより記録を行うと、上用紙と下用紙との間において発色剤層と顕色剤層とが加圧接触することにより発色剤と顕色剤とが発色反応する。この発色反応により、最上層の用紙の表面に記録されたのと同じものがその下側の用紙の上にも記録されるから、複数枚の用紙に同時に記録を行うことができる。
【特許文献１】特開２００１−１２１８４２公報
【発明の開示】
【発明が解決しようとする課題】
【０００３】
上記のような帳票冊子を使用する際には、通常、記入したい１組の伝票用紙の下に重なる別の組の用紙に記入内容が複写されてしまうことを防ぐため、記入したい伝票用紙の組のうち最下層の用紙と次の組の最上層の用紙との間に下敷きを挿入して記入を行う。このとき、伝票用紙を１枚ずつめくって下敷きの挿入箇所を確認しなければならないため、下敷きの差し替えが煩わしいという問題があった。
【０００４】
本発明は、上記した事情に鑑みてなされたものであり、その目的は、用紙を組単位で取り扱うことの容易な帳票冊子を提供することにある。
【課題を解決するための手段】
【０００５】
上記の課題を解決するための請求項１の発明に係る帳票冊子は、表裏両面のうち一面側が記入面とされた複数の用紙が積層されて１組をなすとともに上位の前記用紙への記載内容を下位の前記用紙に転写可能な帳票組の複数組が積層されて綴じられた帳票冊子であって、前記１組の帳票組をなす前記複数の用紙が綴じ側を除く端縁の一部で互いに再剥離可能に接着されていることを特徴とする。
【０００６】
請求項２の発明は、請求項１に記載の帳票冊子であって、前記複数の用紙が綴じ側と対向する側の側縁で接着されていることを特徴とする。
【０００７】
請求項３の発明は、請求項２に記載の帳票冊子であって、前記複数の用紙が前記綴じ側と対向する側の側縁における両端の角部のうちいずれかで接着されていることを特徴とする。
【０００８】
請求項４の発明は、請求項１〜請求項３のいずれかに記載の帳票冊子であって、前記帳票組が前記記入面側を裏側に向けて積層されており、積層された状態で最上位となる前記用紙の裏面側には下敷き部が重ねられていることを特徴とする。
【０００９】
請求項５の発明は、請求項１〜請求項４のいずれかに記載の帳票冊子であって、前記複数の用紙が互いに接着された接着領域における前記用紙の端縁方向に沿う方向の長さが０．５ｍｍ以上１０ｍｍ以下であることを特徴とする。
【００１０】
請求項６の発明は、表裏両面のうち一面側が記入面とされた複数の用紙が積層されて１組をなすとともに上位の前記用紙への記載内容を下位の前記用紙に転写可能な帳票組の複数組が積層されて綴じられた帳票冊子を製造する方法であって、１組の前記帳票組をなす前記用紙において最下層の用紙の裏面と最上層の用紙の表面とを除く紙面に発色剤または顕色剤を含む薬剤層を設ける薬剤層形成工程と、前記帳票組の複数組を積層する工程と、積層された前記帳票組の束において綴じ側となる一側面に糊付けしてこの帳票組の束を背固めする糊付け工程と、を経るとともに、前記糊付け工程において、前記用紙よりも前記薬剤層に対する親和性の高い接着剤を前記綴じ側とは異なる側面の一部に塗布することを特徴とする。
【００１１】
請求項７の発明は、請求項６に記載の帳票冊子の製造方法であって、前記糊付け工程において、前記接着剤を前記綴じ側とは異なる側面から内側方向へのしみ込み長さが２ｍｍ以上５ｍｍ以下となるように塗布するとともに、前記糊付け工程の後に、前記綴じ側とは異なる側面からの距離が１ｍｍ以上３ｍｍ以下であってかつ前記しみ込み長さ未満の位置で前記帳票組の束を断裁することを特徴とする。
【発明の効果】
【００１２】
請求項１の発明によれば、１組の帳票組をなす複数の用紙が綴じ側を除く端縁の一部で互いに再剥離可能に接着されている。このような構成によれば、例えば下敷きを差し替えるとき等において、１組の用紙をまとめてめくることができ、便利である。
【００１３】
請求項２の発明によれば、綴じ側と対向する側、すなわち互いに重なり合う用紙どうしが最も大きく離間する側において接着がなされているから、１組の用紙がよりまとまりやすくなり、便利である。
【００１４】
請求項３の発明によれば、綴じ側と対向する側の角部のうち一方において接着がなされているから、この角部に指を引っ掛けることで１組の用紙を容易にめくることができる。また、記入後、各用紙を分離して使用する際には、接着されていない側の角部から２枚の用紙間を開くことで容易に分離作業を行うことができる。
【００１５】
請求項４の発明によれば、帳票組が記入面側を裏側に向けて綴じられており、最上位の用紙の裏面側には下敷き部が重ねられている。このような構成によれば、記入者は、下敷き部をめくるとともに、その下にあった帳票組をひとまとめにめくって下敷き部に重ね、記入を行う。そして、この帳票組を冊子から切り離して使用に供する。すると、その下位にあった帳票組が最上位となるため、次の記入を行う際には、この帳票組をひとまとめにめくって下敷き部に重ね、記入を行えば良い。このように、下敷きを差し替える必要がなくなるため、用紙をめくる煩わしさがいっそう低減される。
【００１６】
請求項５の発明によれば、複数の用紙が互いに接着された接着領域における用紙の端縁方向に沿う方向の長さが０．５ｍｍ以上１０ｍｍ以下である。この範囲内であれば、ある程度の接着力を確保して、一端接着された用紙が意図しないときに互いに分離してしまうことを回避でき、かつ、分離させたい時には容易に剥がし操作を行うことができる。
【００１７】
請求項６の発明によれば、糊付け工程において、用紙よりも薬剤層に対する親和性の良い接着剤を綴じ側とは異なる側面の一部に塗布する。すると、薬剤層が設けられている紙面間、すなわち１組の帳票組を構成する各用紙の間には、側面から少し内に入った領域まで接着剤が浸透し、用紙間が接着される。しかし、薬剤層が設けられていない紙面間、すなわち１組の帳票組において最上位の用紙と、この上に重ねられた他の帳票組において最下位の用紙との間には接着剤が浸透しないから、各帳票組の間は接着されない。このように、側面に接着剤を塗布するのみで必要な場所にのみ接着剤を浸透させることができるから、用紙を組単位で取り扱うことの容易な帳票冊子を簡易な方法で提供できる。
【００１８】
請求項７の発明によれば、接着剤塗布後にこの接着剤を塗布した側面において帳票組の束を断裁することで、接着剤を塗布した側面を見栄え良く整えることができる。
【発明を実施するための最良の形態】
【００１９】
＜第１実施形態＞
以下、本発明を具体化した実施形態について、図１〜図７を参照しつつ詳細に説明する。
図１には、本発明を具体化した帳票冊子１を示す。この帳票冊子１は、複数の用紙２、３、４、５で構成される帳票組６の複数組を積層して一端側で綴じたものである。
【００２０】
１組の帳票組６は、図２に示すように、互いに同形状をなす納品書（控）用紙２、納品書用紙３、請求書用紙４、および物品受領書用紙５が重ね合わせられたものである。各用紙２、３、４、５の表面は記入面とされ、ここには所定の記入枠が設けられている。また、最上位の納品書（控）用紙２を除く３枚の用紙３、４、５の表面には顕色剤を含む顕色剤層７（本発明の薬剤層に該当する）がそれぞれ設けられている。一方、最下位の物品受領書用紙５を除く３枚の用紙２、３、４の裏面には発色剤を含む発色剤層８（本発明の薬剤層に該当する）がそれぞれ設けられている（図４を併せて参照）。
【００２１】
この帳票組６は複数組が積層され、積層された束１４の表側および裏側には、それぞれ用紙２、３、４、５と同サイズの厚紙からなる表紙９および裏表紙１０が重ねられている。そして、この束１４の背表紙側となる側面１４Ａ（図１の左上側の側面）が糊で背固めされることで１冊の冊子とされている。裏表紙１０において綴じ側と対向する側の縁部には、用紙２、３、４、５とほぼ同サイズの厚紙からなる下敷き用紙１２が、帳票冊子１の厚さ分の幅を有する折部１３を介して連設されている。
【００２２】
各帳票組６をなす用紙２、３、４、５において綴じ側と対向する開放側（図１の右下側）の端部は、上端側の角部Ｃで互いに接着されている。各用紙２、３、４、５は、角部Ｃのわずかな接着領域Ｒのみで互いに接着されることで、必要な時には互いに容易に引き剥がすことができるようにされている。この接着領域Ｒにおける前記用紙の端縁方向に沿う方向の長さＬ１は０．５ｍｍ以上１０ｍｍ以下とされることが好ましい。０．５ｍｍ以上とすることである程度の接着力を確保して、一端接着された用紙２、３、４、５が、例えば帳票冊子１の保管時等、意図しないときに互いに分離してしまうことを回避できる。また、１０ｍｍ以下とすることで、用紙２、３、４、５を互いに分離させたい時には容易に剥がし操作を行うことができる。
一方、隣り合う帳票組６の間、すなわち一の帳票組６において最上位の納品書（控）用紙２と、この上に重ねられた他の帳票組６において最下位の物品受領書用紙５との間は接着されていない。これにより、用紙２、３、４、５を各帳票組６ごとに一まとまりで取り扱うことができるようになっている。
【００２３】
次に、このような帳票冊子１の製造方法について説明する。
【００２４】
まず、各帳票組６を構成する用紙２、３、４、５のうち、最上位の納品書（控）用紙２を除く３枚の用紙３、４、５の表面に、全面にわたって顕色剤を塗布することにより顕色剤層７を形成する。一方、最下位の物品受領書用紙５を除く３枚の用紙２、３、４の裏面に、全面にわたって発色剤を塗布することで発色剤層８を形成する（薬剤層形成工程；図３参照）。なお、最上位の納品書（控）用紙２の表面、および最下位の物品受領書用紙５の裏面には顕色剤層７や発色剤層８を設けないでおく。
【００２５】
次に、各用紙２、３、４、５を重ねて１組の帳票組６とし、この帳票組６を必要な組数だけ積層して一束とする（積層工程）。そして、この帳票組６の束１４において綴じ側となる側面１４Ａに、図示しないローラ等を用いてセット糊（製本用）１１を塗布してこの帳票組６の束１４を背固めする（糊付け工程）。
【００２６】
このとき、背固めに用いたのと同じセット糊１１（本発明の接着剤に該当する）を、帳票組６の束１４において開放側の側面１４Ｂの上端の角部Ｃ周りの領域に塗布する。すると、顕色剤層７および発色剤層８が設けられている紙面間、すなわち１組の帳票組６を構成する用紙２−用紙３間、用紙３−用紙４間、および用紙４−用紙５間には、側面１４Ｂから少し内に入った領域までセット糊１１が浸透し、これら用紙２、３、４、５が互いに接着される。しかし、顕色剤層７および発色剤層８がが設けられていない紙面間、すなわち１組の帳票組６において最上位の納品書（控）用紙２と、この上に重ねられた他の帳票組６において最下位の物品受領書用紙５との間にはセット糊１１が浸透しないから、これら用紙２、用紙５の間は分離したままの状態となる（図６参照）。
【００２７】
背固めが終了したら、この束１４の表側および裏側にそれぞれ表紙９および裏表紙１０を重ねる。表紙９および裏表紙１０の取り付けは通常の製本方法に従って行うことができる。
このようにして、帳票冊子１が完成する。
【００２８】
次に、この帳票冊子１の使用方法について説明する。用紙２、３、４、５に記入する際には、まず、裏表紙１０と折部１３との境界線、および折部１３と下敷き用紙１２との境界線をそれぞれ折り返して、下敷き用紙１２を最上位（最も表紙側）の１組の帳票組６とその下の帳票組６との間に挿入する。これにより、下位の帳票組６にまで記入内容が複写されてしまうのを防止する。このとき、１組の帳票組６をなす複数の用紙２、３、４、５が互いに接着されているから、これらの用紙２、３、４、５をまとめてめくることができる。これにより、用紙を一枚ずつめくって確認するという煩わしい作業を行うことなく、下敷き用紙１２を差し込むべき位置を容易に確認することができる。また、各用紙２、３、４、５が角部Ｃにおいて接着されているから、この角部Ｃに指を引っ掛けることで１組の帳票組６を容易にめくることができ、便利である。
【００２９】
この状態で、最上位の納品書（控）用紙２の記入欄に必要事項を記入する。このとき、発色剤と顕色剤とが反応することにより、記入された内容と同じものが下側の用紙３、４、５に複写される。
【００３０】
記入が終了したら、この帳票組６を帳票冊子１から切り離すとともに、４枚の用紙２、３、４、５の角部Ｃを互いに分離する（図７参照）。このとき、各用紙２、３、４、５が角部Ｃにおいて接着されているから、接着されていない側の角部から各用紙２、３、４、５の間を広げて容易に引き剥がし作業を行うことができる。
分離された各用紙２、３、４、５は、それぞれ顧客への送付用、または保管用の控えとして使用される。
【００３１】
以上のように本実施形態によれば、１組の帳票組６をなす複数の用紙２、３、４、５が、開放側（綴じ側と逆側）の端縁における角部Ｃで互いに再剥離可能に接着されている。このような構成によれば、例えば下敷き用紙１２を差し替えるとき等において、１組の帳票組６をなす用紙２、３、４、５まとめてめくることができ、便利である。また、用紙２、３、４、５が綴じ側と逆側、すなわち互いに最も大きく離間する側において接着されているから、１組の用紙２、３、４、５がよりまとまりやすくなり、便利である。
【００３２】
さらに、開放側の角部Ｃのうちいずれかにおいて接着がなされているから、この角部Ｃに指を引っ掛けることで１組の用紙２、３、４、５を容易にめくることができる。また、記入後、各用紙２、３、４、５をばらばらにして使用する際には、接着されていない側の角部から互いに重なりあう用紙２、３、４、５の間を広げて容易に分離作業を行うことができる。
【００３３】
加えて、本実施形態の帳票冊子１の製造方法によれば、側面１４Ｂにセット糊１１を塗布するのみで必要な場所にのみセット糊１１を浸透させることができるから、用紙２、３、４、５を組単位で取り扱うことの容易な帳票冊子１を簡易な方法で提供できる。
【００３４】
＜第２実施形態＞
以下、本発明の第２実施形態について、図８〜図１２を参照しつつ説明する。本実施形態の帳票冊子２０の第１実施形態との主たる相違点は、帳票組２４が記入面側を裏側に向けて綴じられており、綴じられた状態で最上位となる用紙２３の裏面側には記入時の下敷きとなる下敷き用紙２５（本発明の下敷き部に該当する）が積層されている点にある。なお、第１実施形態と同様の構成については、同一の符号を付して説明を省略する。
【００３５】
１組の帳票組２４は、第１実施形態と同様に、複数枚の用紙２１、２２、２３を重ね合わせて構成されている。この帳票組２４は、表面（記入面）側を下側に向けた状態で複数組が積層され、積層された束２６の表側および裏側には、それぞれ表紙９および裏表紙１０が重ねられている。また、裏向きに重ねた状態で最上位となる用紙２３と表紙９との間には、記入時の下敷きとなる下敷き用紙２１が挟み込まれている。
【００３６】
各帳票組２４をなす用紙２１、２２、２３において開放側（図８の右下側）の端部は、第１実施形態と同様に上端側の角部Ｃで互いに接着されており、用紙２１、２２、２３を各帳票組２４ごとに一まとまりで取り扱うことができるようになっている。
【００３７】
この帳票冊子２０を使用する際には、まず、下敷き用紙２５をめくり、その下にある最上位の帳票組２４をひとまとめにめくる。すると、帳票組２４が表面を上に向けて下敷き用紙２５に重ねられた状態となる。このとき、第１実施形態と同様に、１組の帳票組２４をなす複数の用紙２１、２２、２３が互いに接着されているから、これらの用紙２１、２２、２３をまとめてめくることができる。
【００３８】
この状態で、最上位の用紙２１の記入欄に必要事項を記入すると、記入された内容と同じものが下位側の用紙２２、２３に複写される。記入が終了したら、この帳票組２４を帳票冊子２０から切り離すとともに、接着されている角部Ｃを互いに分離し、使用に供する。
【００３９】
すると、先に使用した帳票組２４の下位にあった帳票組２４が最上位となるため、次の記入を行う際には、この帳票組２４をめくって下敷き用紙２５に重ね、記入を行えば良い。このように、下敷き用紙２５を差し替える必要がなくなるため、用紙２１、２２、２３をめくる煩わしさがいっそう低減される。
【００４０】
以上のように本実施形態によれば、１組の帳票組２４をなす複数の用紙２１、２２、２３が、開放側（綴じ側と逆側）の端縁における角部Ｃで互いに再剥離可能に接着されているから、第１実施形態と同様の作用効果を奏する。加えて、帳票組６が記入面側を裏側に向けて綴じられており、綴じられた状態で最上位となる用紙２３の裏面側には記入時の下敷きとなる下敷き用紙２５が積層されているから、下敷き用紙２５を差し替える必要がなくなり、用紙２１、２２、２３をめくる煩わしさがいっそう低減される。
【００４１】
＜他の実施形態＞
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
【００４２】
（１）上記実施形態では、帳票組６を構成する用紙は納品書（控）用紙２、納品書用紙３、請求書用紙４、および物品受領書用紙５であったが、本発明の用紙としては、銀行・会社・商店などで取引の要件を記載するものとして一般的に使用されるものであればその種類・用途は特に限定されない。その例としては、入庫伝票・出庫伝票・入金伝票・出金伝票・振替伝票・売上伝票・領収書・納品書・受領書・注文書・見積書・仕切書・合計請求書・請求書等が挙げられる。また、上帳票組を構成する用紙の枚数および組み合わせも上記実施形態に限るものではなく、用途に応じて自由に組み合わせることができる。
【００４３】
（２）上記実施形態においては、「用紙よりも薬剤層（顕色剤層７、発色剤層８）に対する親和性の高い接着剤」は背固めに使う接着剤と同一であったが、異なる種類のものを使用しても構わない。
【００４４】
（３）上記実施形態では帳票冊子１、２０は側面１４Ａに糊付けすることにより綴じられていたが、天の部分を糊付けして綴じる「天綴じ」であっても構わない。
【００４５】
（４）糊付け工程の後に、開放側の側面１４Ｂにおいて帳票組６の束１４を断裁することが好ましい。このようにすることで、側面１４Ｂを見栄え良く仕上げることができる。
このような場合には、側面１４Ｂにセット糊１１を塗布する際に、帳票組６の束１４において端面から内側方向へのセット糊１１のしみ込み長さＬ２が２ｍｍ以上５ｍｍ以下となるように塗布量を調整することが好ましい（図１３参照）。また、断裁位置Ｐは、側面１４Ｂからの距離Ｌ３が１ｍｍ以上３ｍｍ以下の範囲内であることが好ましい。但し、帳票組６を構成する用紙２、３、４、５同士の接着を維持するため、しみ込み長さＬ２が３ｍｍ以下である場合は、このしみ込み長さＬ２を超えない範囲とすることを要する。
【図面の簡単な説明】
【００４６】
【図１】第１実施形態の帳票冊子の全体斜視図
【図２】帳票組を積層した束の斜視図
【図３】帳票組を積層した束の角部付近の断面図
【図４】接着剤塗布後の帳票組を積層した束の角部付近の断面図
【図５】帳票組を積層した束に表紙および裏表紙を取り付ける様子を示す斜視図
【図６】帳票組が１組ごとにまとめて取り扱われる様子を示す断面図
【図７】帳票組を構成する用紙を分離した様子を示す断面図
【図８】第２実施形態の帳票冊子の全体斜視図
【図９】帳票冊子の表紙を開いた様子を示す斜視図
【図１０】帳票冊子の下敷き用紙をめくった様子を示す斜視図
【図１１】最上位の帳票組をめくった様子を示す斜視図
【図１２】帳票組を構成する用紙を分離した様子を示す斜視図
【図１３】他の実施形態の帳票組を積層した束の角部付近の断面図
【符号の説明】
【００４７】
１、２０…帳票冊子
２、３、４、５、２１、２２、２３…用紙
６、２４…帳票組
７…顕色剤（薬剤層）
８…発色剤（薬剤層）
１１…セット糊（接着剤）
１４、２６…束
２５…下敷き用紙（下敷き部）
Ｃ…角部
【図１】
2006327128.tif 000003
【図２】
2006327128.tif 000004
【図３】
2006327128.tif 000005
【図４】
2006327128.tif 000006
【図５】
2006327128.tif 000007
【図６】
2006327128.tif 000008
【図７】
2006327128.tif 000009
【図８】
2006327128.tif 000010
【図９】
2006327128.tif 000011
【図１０】
2006327128.tif 000012
【図１１】
2006327128.tif 000013
【図１２】
2006327128.tif 000014
【図１３】
2006327128.tif 000015